(57)【特許請求の範囲】
【請求項１】
一方端と他方端とを有し、主表面を含む第１の筐体と、
一方端と他方端とを有し、主表面を含み、その一方端が前記第１の筐体に回動可能に取付けられる第２の筐体と、
前記第１の筐体の主表面に設けられて所定の情報を表示する第１の表示部と、
前記第２の筐体の主表面に設けられて所定の情報を表示する第２の表示部とを備え、
使用時には、前記第２の筐体の前記主表面が前記第１の筐体の前記主表面から離隔した状態とされ、
収納時には、前記第２の筐体の前記主表面が前記第１の筐体の前記主表面に近接した状態とされ、
使用時および収納時に使用者が前記第２の表示部を視認できるように前記第２の表示部が配置され、
前記第１の筐体の前記一方端には、前記第１の筐体の前記他方端から前記第１の筐体の前記一方端へ向かう方向に延在する第１の突出部と第２の突出部とが形成されており、
前記第１および第２の突出部に前記第２の筐体が回動可能に取付けられ、
前記第１および第２の突出部の間には、前記第１の筐体の前記一方端から前記第１の筐体の前記他方端へ向かう方向に延在する切欠きが形成されており、
使用時および収納時に前記切欠きが前記第２の表示部を露出させ、
前記第２の表示部は、前記第１および第２の突出部に挟み込まれるように配置される、携帯端末。
【請求項２】
前記第２の表示部は、前記第２の筐体の一方端側に設けられる、請求項１に記載の携帯端末。
【請求項３】
前記第１の筐体の前記一方端には、前記第１の筐体の前記他方端から前記第１の筐体の前記一方端へ向かう方向に延在する突出部が形成されており、前記突出部に前記第２の筐体が回動可能に取付けられる、請求項１または２に記載の携帯端末。
【請求項４】
前記第１の筐体の前記一方端には、前記第１の筐体の前記一方端から前記第１の筐体の前記他方端へ向かう方向に延在する切欠きが形成されており、使用時および収納時に前記切欠きが前記第２の表示部を露出させる、請求項１から３のいずれか１項に記載の携帯端末。
【請求項５】
前記第２の表示部近傍で前記第２の筐体に内蔵されるアンテナ素子をさらに備えた、請求項１から４のいずれか１項に記載の携帯端末。
【発明の詳細な説明】
【０００１】
【発明の属する技術分野】
この発明は、携帯端末に関し、特に折りたたみ構造の携帯電話機に関するものである。
【０００２】
【従来の技術】
近年、携帯電話機では、従来の音声通話だけでなく、インターネットなどからのデータの受信、電子メールなどのデータの送受信のために用いられることが多い。このため、メインの液晶画面の表示領域の大型化が進んでおり、対角線の長さが２インチ（５．０８ｃｍ）程度のカラーの液晶表示装置を有し、１文字を１２ドットで表示し、１０文字×１０行の１００文字を１画面に表示できるような携帯電話機も販売されている。
【０００３】
大型の液晶表示装置を有する携帯電話機では、従来一般的であった一体型の携帯電話機よりも、折りたたみ型の方が、構造上有利であり、各社が折りたたみ型の携帯電話機を販売している。折りたたみ型の携帯電話機において、携帯電話機を折りたたんだ状態で現在時刻、電池容量残量、携帯電話機が通話圏内であるか、着信番号の表示などの最小限の情報を表示することができる携帯電話機が、たとえば特開平１０−５１５２９号公報に開示されている。
【０００４】
図７は、上記公報に開示された従来の携帯電話機の斜視図である。図７を参照して、従来の携帯電話機１０１は、第１の筐体１０２および第２の筐体１０３から構成されており、これらはヒンジ部１０４によって回動可能に結合された折りたたみ構造とされている。
【０００５】
第２の筐体１０３のヒンジ部と反対側の先端部には、着信表示などの情報を表示するための表示器１０７が設けられている。表示器１０７は、第１の筐体１０２に向い合う内面側表示面１０７ａと、第２の筐体１０３の外面１０３ｂに連なる第１の外面側表示面１０７ｂと、第２の筐体１０３の端面１０３ｃに連なる第２の外面側表示面１０７ｃとを有する。
【０００６】
第２の外面側表示面１０７ｃと向い合う面には、液晶表示板からなる信号源１０８が配置されている。
【０００７】
表示器１０７内には、２枚の透過反射鏡（図示せず）がＶ字状に配置されており、信号源１０８から放たれた光の一部は、２枚の透過反射鏡で反射されて内面側表示面１０７ａおよび第１の外面側表示面１０７ｂに到達する。信号源１０８から放たれた光の他の一部は、２枚の透過反射鏡を透過して第２の外面側表示面１０７ｃに到達する。これにより、信号源１０８で表示された携帯電話機の電池残量等文字情報を、携帯電話機１０１を折りたたんだ状態でも、第１および第２の外面側表示面１０７ｂおよび１０７ｃから視認することができる。
【０００８】
【発明が解決しようとする課題】
しかしながら、上述のような従来の携帯電話機では、第２の筐体１０３に表示器１０７を設ける必要があるため、第２の筐体１０３にメインの液晶表示装置を設ける場合、メインの液晶表示装置の表示面積が小さくなる。そのため、インターネット等で得た情報を表示する領域が小さくなってしまうという問題があった。
【０００９】
そこで、本発明は、上述のような問題点を解決するためになされたものであり、表示領域が広く、かつ携帯電話機を収納した状態でも所定の情報を使用者が視認することができる携帯電話機を提供することを目的とするものである。
【００１０】
【課題を解決するための手段】
この発明に従った携帯端末は、一方端と他方端とを有し、主表面を含む第１の筐体と、一方端と他方端とを有し、主表面を含み、その一方端が第１の筐体に回動可能に取付けられる第２の筐体と、第１の筐体の主表面に設けられて所定の情報を表示する第１の表示部と、第２の筐体の主表面に設けられて所定の情報を表示する第２の表示部とを備える。使用時には、第２の筐体の主表面が第１の筐体の主表面から離隔した状態とされる。収納時には、第２の筐体の主表面が第１の筐体の主表面に近接した状態とされる。使用時および収納時に使用者が第２の表示部を視認できるように第２の表示部が配置される。第１の筐体の一方端には、第１の筐体の他方端から第１の筐体の一方端へ向かう方向に延在する第１の突出部と第２の突出部とが形成されており、第１および第２の突出部に第２の筐体が回動可能に取付けられ、第１および第２の突出部の間には、第１の筐体の一方端から第１の筐体の他方端へ向かう方向に延在する切欠きが形成されており、使用時および収納時に切欠きが第２の表示部を露出させ、第２の表示部は、第１および第２の突出部に挟み込まれるように配置される。
【００１１】
このように構成された携帯端末では、第１の筐体に設けられる第１の表示部とは別に、第２の筐体に第２の表示部が設けられる。そのため、第１の筐体に設けられる第１の表示部の面積を狭めることなく、第２の筐体の第２の表示部において、携帯電話機の所定の情報を表示することができる。さらに、その第２の表示部は、使用時および収納時に使用者が第２の表示部を認識できるように配置されるため、使用者は、常に携帯電話機の電池残量、通話圏内であるか否かなどの第２の表示部に表示された所定の情報を視認することができる。
【００１２】
また好ましくは、第２の表示部は、第２の筐体の一方端側に設けられる。
また好ましくは、第１の筐体の一方端には、第１の筐体の他方端から第１の筐体の一方端へ向かう方向に延在する突出部が形成されており、突出部に第２の筐体が回動可能に取付けられる。
【００１３】
また好ましくは、第１の筐体の一方端には、第１の筐体の一方端から第１の筐体の他方端へ向かう方向に延在する切欠きが形成されており、使用時および収納時に切欠きが第２の表示部を露出させる。この場合、第２の表示部を、切欠きにより確実に露出させることができる。
【００１７】
また好ましくは、携帯端末は、第２の表示部近傍で第２の筐体に内蔵されるアンテナ素子をさらに備える。これにより、アンテナ素子を第２の筐体に内蔵することができ、携帯端末の小型化を図ることができる。
【００１８】
【発明の実施の形態】
以下、この発明の実施の形態について、図面を参照して説明する。
【００１９】
（実施の形態１）
図１は、この発明の実施の形態１に従った携帯電話機の平面図であって、使用時の携帯電話機を示す平面図である。
【００２０】
図１を参照して、この発明の実施の形態１に従った携帯端末としての携帯電話機１０は、一方端２３と他方端２４とを有し、主表面２０ａを含む第１の筐体２０と、一方端３３と他方端３４とを有し、主表面３０ａを含み、その一方端３３が第１の筐体２０に回動可能に取付けられる第２の筐体３０と、第１の筐体２０の主表面２０ａに設けられて所定の情報を表示する第１の表示部４０と、第２の筐体３０の主表面３０ａに設けられて所定の情報を表示する第２の表示部５０とを備える。使用時には、図１で示すように第２の筐体３０の主表面３０ａが第１の筐体２０の主表面２０ａから離隔した状態とされる。収納時には、第２の筐体３０の主表面３０ａが第１の筐体２０の主表面２０ａに近接した状態とされる。使用時および収納時に使用者が第２の表示部５０を視認できるように第２の表示部５０が配置されている。
【００２１】
第２の表示部５０は、第２の筐体３０の一方端３３側に設けられている。
第１の筐体２０の一方端２３には、第１の筐体２０の他方端２４から一方端２３へ向かう方向に延在する第１および第２の突出部２１ａおよび２１ｂとが形成されている。第１および第２の突出部２１ａおよび２１ｂに第２の筐体３０の第１および第２の突出部３１ａおよび３１ｂが回動可能に取付けられている。第１および第２の突出部２１ａおよび２１ｂの間には、第１の筐体２０の一方端２３から他方端２４へ向かう方向に延在する切欠きが形成されている。使用時および収納時に切欠き２２が第２の表示部５０を露出させる。
【００２２】
第１の筐体２０は薄板形状であり、一方端２３から他方端２４へ向かって延びるようにほぼ長方形状に形成されている。その主表面２０ａには、液晶ディスプレイにより構成されるメインディスプレイとしての第１の表示部４０が取付けられている。第１の表示部４０は、第１の筐体２０のほぼ全面を占有する。第１の筐体２０の他方端２４には、アンテナ素子７０が取付けられている。
【００２３】
第１の筐体２０の一方端２３側には、互いに距離を隔てた位置に第１の突出部２１ａおよび第２の突出部２１ｂが設けられている。第１および第２の突出部２１ａおよび２１ｂは、第１の筐体２０の両端部に設けられている。
【００２４】
第１および第２の突出部２１ａおよび２１ｂの間には、切欠き２２が設けられている。切欠き２２は、一方端２３から他方端２４へ向かう方向にへこむような形状となるように形成されている。切欠き２２は、ほぼ長方形状とされ、第２の表示部５０を露出させる。
【００２５】
第２の筐体３０の主表面３０ａには、複数個の押しボタン６０が設けられている。押しボタン６０が設けられていない部分に、第２の表示部５０と、第１および第２の突出部３１ａおよび３１ｂが設けられる。第１および第２の突出部３１ａおよび３１ｂと、第２の表示部５０とは、ともに第２の筐体３０の一方端３３側に設けられる。第２の表示部５０は、２つの突出部２１ａおよび２１ｂに挟み込まれるように配置される。第１の突出部２１ａおよび２１ｂと、第１の突出部および第２の突出部３１ａおよび３１ｂと、第２の表示部５０とは一直線上に並ぶように配置される。サブディスプレイとしての第２の表示部５０は、液晶ディスプレイにより構成される。
【００２６】
図２は、この発明の実施の形態１に従った携帯電話機の平面図であって、収納状態の携帯電話機を示す平面図である。図２を参照して、携帯電話機１０が収納される状態では、第１の筐体２０と第２の筐体３０が近接した状態とされる。このとき、第１の筐体２０は、第２の筐体３０に対して回動し、第２の筐体３０の他方端３４と、第１の筐体２０の他方端２４とが近接した位置になる。
【００２７】
収納時でも、使用者が第２の表示部５０を視認できるように第２の表示部５０は第２の筐体３０に配置されている。第１の筐体２０は第２の筐体３０を覆うが、切欠き２２が形成された部分では、第２の筐体３０の表面が露出する。この露出する部分に第２の表示部５０および突出部３１ａおよび３１ｂが設けられている。
【００２８】
図３は、図２中のＩＩＩ−ＩＩＩ線に沿って見た断面を示す図である。図３を参照して、第２の筐体３０には、主表面から突出するように突出部３１ａおよび３１ｂが設けられている。第１および第２の突出部２１ａおよび２１ｂには、第２の筐体３０に接続される第１および第２の回動軸８０ａおよび８０ｂが設けられている。第１および第２の回動軸８０ａおよび８０ｂを結ぶ線上に第２の表示部５０が設けられる。第１および第２の回動軸８０ａおよび８０ｂを中心として、第１の筐体２０および第２の筐体３０が回動する。第１および第２の回動軸８０ａおよび８０ｂは、第１および第２の突出部２１ａおよび２１ｂに固定されて第１および第２の突出部３１ａおよび３１ｂに対して摺動してもよい。また、第１および第２の回動軸８０ａおよび８０ｂは、第１および第２の突出部３１ａおよび３１ｂに固定されて第１および第２の突出部２１ａおよび２１ｂに対して摺動してもよい。
【００２９】
図４は、図２中の矢印ＩＶで示す方向から見た携帯電話機の側面図である。図４を参照して、携帯電話機１０が収納される場合には、第２の筐体３０の主表面３０ａが第１の筐体２０の主表面２０ａに近接した状態とされる。第１の筐体２０と第２の筐体３０とはほぼ平行に延び、第２の筐体３０に設けられた押しボタン６０が第１の筐体２０の主表面２０ａと近接する状態となる。第１の筐体２０は、第１の回動軸８０ａを中心として回動し、図４で示す収納状態から、第２の筐体３０の他方端３４に対して、第１の筐体２０の他方端２４が遠ざかる方向に回動して使用状態とされる。
【００３０】
このように構成された携帯電話機１０では、使用時および収納時に、第２の表示部５０が視認可能なように配置されるため、使用時および収納時のいずれにおいても携帯電話機１０の電池残量、携帯電話機１０が通話圏内であるかどうか、現在時刻などを表示することができる。そのため、ユーザが携帯電話機１０を開かなくてもこれらの情報を常に視認することができる。
【００３１】
さらに、メインディスプレイであり、第１の筐体２０に設けられる第１の表示部４０とは別に、第２の表示部５０が第２の筐体３０に設けられているため、第１の筐体２０に設けられる第１の表示部４０の面積を小さくすることがない。その結果、第１の表示部４０にも十分な量の情報を表示することができる。
【００３２】
（実施の形態２）
図５は、この発明の実施の形態２に従った携帯電話機の平面図であって、使用時の携帯電話機を示す平面図である。図５を参照して、この発明の実施の形態２に従った携帯電話機１０では、第２の表示部５０の下にアンテナ素子７１が埋め込まれており、このアンテナ素子７１が給電点７２に接続されている点で、実施の形態１に従った携帯電話機と異なる。アンテナ素子７１としては、図５では、ヘリカルアンテナを用いているが、これに限られるものではなく、板状アンテナ、逆Ｆ型アンテナ、ホイップアンテナ、ダイポールなどのさまざまなアンテナを用いることができる。図５では、アンテナ素子７０は第２の表示部５０の近傍に設けられているが、第２の表示部５０を構成する液晶ディスプレイはほぼガラスにより構成されるため、第２の表示部５０は、ほぼガラスと同様の性質を持つと考えることができる。ガラスは、比誘電率が４程度であり、誘電正接は０．０１程度であるため、近傍にアンテナ素子７１を配置しても、アンテナ性能を劣化させることはない。
【００３３】
図６は、図５中のＶＩ−ＶＩ線に沿って見た断面を示す図である。図６を参照して、第２の表示部５０近傍で第２の筐体３０内にアンテナ素子７１が配置されている。アンテナ素子７１は給電点７２に接続されている。アンテナ素子７１は、図６中の左側から右側へ向かう方向、すなわち、突出部２１ａから突出部２１ｂへ向かう方向に延びている。なお、アンテナ素子７１の配置としては、このような配置だけでなく、たとえば紙面の手前側から奥側へ向かうように延びてもよい。
【００３４】
このように構成された実施の形態２に従った携帯電話機１０では、まず、実施の形態１に従った携帯電話機１０と同様の効果がある。さらに、第２の表示部５０近傍にアンテナ素子を配置することで、携帯電話機１０の小型化を図ることができる。なお、実施の形態２に従った携帯電話機１０では、アンテナ素子７０は存在しない。
【００３５】
以上、この発明の実施の形態について説明したが、ここで示した実施の形態はさまざまに変形することが可能である。まず、第２の表示部は、第２の筐体３０の一方端３３側に設けたが、これに限られるものではなく、第２の筐体３０の中央部に設けてもよい。また、この発明は携帯端末としての携帯電話機についてのみ示したが、これに限られるものではなく、液晶表示を有する携帯端末、たとえば無線機などに用いてもよい。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３７】
【発明の効果】
この発明に従えば、使用時および収納時に使用者が所定の情報を視認することができ、かつ、表示領域の面積を確保できる携帯端末を提供することができる。
【００３８】
この発明に従えば、さらに小型化が可能な携帯端末を提供することができる。
【図面の簡単な説明】
【図１】  この発明の実施の形態１に従った携帯電話機の平面図であって、使用時の携帯電話機を示す平面図である。
【図２】  この発明の実施の形態１に従った携帯電話機の平面図であって、収納時の携帯電話機を示す平面図である。
【図３】  図２中のＩＩＩ−ＩＩＩ線に沿って見た断面を示す図である。
【図４】  図２中の矢印ＩＶで示す方向から見た携帯電話機の側面図である。
【図５】  この発明の実施の形態２に従った携帯電話機の平面図であって、使用時の携帯電話機を示す平面図である。
【図６】  図５中のＶＩ−ＶＩ線に沿って見た断面を示す図である。
【図７】  従来の携帯電話機の斜視図である。
【符号の説明】
１０  携帯電話機、２０  第１の筐体、２１ａ，２１ｂ  突出部、２２  切欠き、２３，３３  一方端、２４，３４  他方端、２０ａ，３０ａ  主表面、４０第１の表示部、５０  第２の表示部、７１  アンテナ素子。
【図１】
0003843219.tif 000002
【図２】
0003843219.tif 000003
【図３】
0003843219.tif 000004
【図４】
0003843219.tif 000005
【図５】
0003843219.tif 000006
【図６】
0003843219.tif 000007
【図７】
0003843219.tif 000008